(57)【要約】【課題】転送レートが低くとも、再生処理に必要なパケットを欠落させることなく受け渡すことができる。【解決手段】デジタルテレビジョン表示装置１００内部の変換部１０５が、入力側として定められた転送レートでパケットを受信する受信部２０１と、受信したパケットから、ＮＵＬＬパケットを削除するＮＵＬＬ削除部２２１と、ＮＵＬＬパケットが削除された後のパケットを記憶するバッファ２０２と、入力側より低い転送レートであって、後段の復調データ処理部６０３に応じて定められた出力側の転送レートで、バッファ２０２から読み出したパケットを送信する送信部２０３と、送信部２０３が送信する際、送信するパケットしてＮＵＬＬパケットを付与し、出力側の転送レートで転送できるよう調整するＮＵＬＬ調整部２２２と、を備える。【選択図】図２
2011055159.tif 000002
【特許請求の範囲】
【請求項１】
第１の転送レートでデジタル放送信号のパケットを受信する受信手段と、
受信した前記デジタル放送信号のパケットから、ヌルパケットを削除する削除手段と、
前記ヌルパケットが削除された後の前記デジタル放送信号のパケットを記憶する記憶手段と、
前記第１の転送レートより低い転送レートであって、送信先に応じて予め定められた第２の転送レートで、当該送信先に対して、前記記憶手段から読み出した前記デジタル放送信号の前記パケットを送信する送信手段と、
前記送信手段が送信する前記デジタル放送信号のパケットとしてヌルパケットを付与し、前記第２の転送レートで転送できるよう調整する調整手段と、
を備えることを特徴とする放送信号の転送レート変換装置。
【請求項２】
前記受信手段は、複数のチャンネルの前記デジタル放送信号のパケットを受信し、
前記送信手段は、前記第１の転送レートの前記複数のチャンネルの合計より低い転送レートである前記第２の転送レートで、前記記憶手段から読み出された、前記複数のチャンネルの前記デジタル放送信号のパケットをまとめて送信し、
前記調整手段は、送信する前記複数のチャンネル分の前記デジタル放送信号のパケットをまとめて前記第２の転送レートで転送できるように、ヌルパケットを付与して調整すること、
を特徴とする請求項１に記載の転送レート変換装置。
【請求項３】
前記受信手段が受信する前記第１の転送レートの周波数より、前記送信手段が送信する前記第２の転送レートの周波数が低いこと、
を特徴とする請求項１又は２に記載の転送レート変換装置。
【請求項４】
前記受信手段は、複数の系統でデジタル放送信号を受信可能であって、ビットレートが異なる複数種類のデジタル放送信号を受信する場合に、ビットレートに応じて前記デジタル放送信号に対して割り当てる系統の数を変更可能とすること、
を特徴とする請求項１乃至３のいずれか一つに記載の転送レート変換装置。
【請求項５】
放送信号を復調することで、デジタル放送信号のパケットを生成し、当該デジタル放送信号を第１の転送レートで送信する復調手段と、
前記第１の転送レートでデジタル放送信号のパケットを受信する受信手段と、
受信した前記デジタル放送信号のパケットから、ヌルパケットを削除する削除手段と、
前記ヌルパケットが削除された後の前記デジタル放送信号のパケットを記憶する記憶手段と、
前記第１の転送レートより低い転送レートであって、送信先に応じて予め定められた第２の転送レートで、当該送信先に対して、前記記憶手段から読み出した前記デジタル放送信号の前記パケットを送信する送信手段と、
前記送信手段が送信する前記デジタル放送信号のパケットとしてヌルパケットを付与し、前記第２の転送レートで転送できるよう調整する調整手段と、
前記送信手段により送信されてきた前記パケットに対してデコード処理を行うデコード処理手段と、
を備えることを特徴とするデジタル放送受信装置。
【請求項６】
受信手段が、第１の転送レートでデジタル放送信号のパケットを受信する受信ステップと、
削除手段が、受信した前記デジタル放送信号のパケットから、ヌルパケットを削除する削除ステップと、
格納手段が、前記ヌルパケットが削除された後の前記デジタル放送信号のパケットを記憶手段に格納する格納ステップと、
送信手段が、前記第１の転送レートより低い転送レートであって、送信先に応じて予め定められた第２の転送レートで、当該送信先に対して、前記記憶手段から読み出した前記デジタル放送信号の前記パケットを送信する送信ステップと、
調整手段が、前記送信ステップが送信する前記デジタル放送信号のパケットとしてヌルパケットを付与し、前記第２の転送レートで転送できるよう調整する調整ステップと、
を有することを特徴とする放送信号の転送レート変換方法。
【発明の詳細な説明】
【技術分野】
【０００１】
本発明は、デジタル放送信号の転送レートを変換する転送レート変換装置、デジタル放送受信装置、及び転送レート変換方法に関する。
【背景技術】
【０００２】
近年、衛星放送や地上波デジタル放送を受信するデジタルテレビジョン表示装置が普及する傾向にある。
【０００３】
このデジタルテレビジョン表示装置では、衛星放送や地上波デジタル放送からの放送信号を復調し、所望の番組を含んだトランスポートストリーム（ＴＳ）を取得し、当該トランスポートストリームをパケット単位で処理している。その際、トランスポートストリームを処理する構成の処理負担が軽減できるように、転送レートを低くする方が望ましい。
【０００４】
トランスポートストリームの転送レートを変換する技術としては、特許文献１が提案されている。当該特許文献１に記載された技術は、複数チューナでパケットを取得することを前提とした上で、複数チャンネルのデジタル放送信号のパケットを受け付け、当該パケットが到着した時刻を示すカウンタ値と、当該パケットに付属するＰＣＲ（Program  Clock  Reference）とを比較し、ＳＴＣ（System  Time  Clock）を必要に応じて補正している。
【先行技術文献】
【特許文献】
【０００５】
【特許文献１】特開２００１−３２６６１９号公報
【発明の概要】
【発明が解決しようとする課題】
【０００６】
しかしながら、引用文献１に記載された技術は、複数のチューナから入力されたデジタル放送信号を、同時にデコード可能とするための技術であり、処理負担を軽減させるための技術ではない。
【０００７】
本発明は、上記に鑑みてなされたものであって、転送レートを低減させることで処理負担を軽減させる転送レート変換装置、デジタル放送受信装置、及び転送レート変換方法を提供することを目的とする。
【課題を解決するための手段】
【０００８】
上述した課題を解決し、目的を達成するために、本発明にかかる転送レート変換装置は、第１の転送レートでデジタル放送信号のパケットを受信する受信手段と、受信した前記デジタル放送信号のパケットから、ヌルパケットを削除する削除手段と、前記ヌルパケットが削除された後の前記デジタル放送信号のパケットを記憶する記憶手段と、前記第１の転送レートより低い転送レートであって、送信先に応じて予め定められた第２の転送レートで、当該送信先に対して、前記記憶手段から読み出した前記デジタル放送信号の前記パケットを送信する送信手段と、前記送信手段が送信する前記デジタル放送信号のパケットとしてヌルパケットを付与し、前記第２の転送レートで転送できるよう調整する調整手段と、を備えることを特徴とする。
【０００９】
また、本発明にかかるデジタル放送受信装置は、放送信号を復調することで、デジタル放送信号のパケットを生成し、当該デジタル放送信号を第１の転送レートで送信する復調手段と、前記第１の転送レートでデジタル放送信号のパケットを受信する受信手段と、受信した前記デジタル放送信号のパケットから、ヌルパケットを削除する削除手段と、前記ヌルパケットが削除された後の前記デジタル放送信号のパケットを記憶する記憶手段と、前記第１の転送レートより低い転送レートであって、送信先に応じて予め定められた第２の転送レートで、当該送信先に対して、前記記憶手段から読み出した前記デジタル放送信号の前記パケットを送信する送信手段と、前記送信手段が送信する前記デジタル放送信号のパケットとしてヌルパケットを付与し、前記第２の転送レートで転送できるよう調整する調整手段と、前記送信手段により送信されてきた前記パケットに対してデコード処理を行うデコード処理手段と、を備えることを特徴とする。
【００１０】
放送信号の転送レート変換方法は、受信手段が、第１の転送レートでデジタル放送信号のパケットを受信する受信ステップと、削除手段が、受信した前記デジタル放送信号のパケットから、ヌルパケットを削除する削除ステップと、格納手段が、前記ヌルパケットが削除された後の前記デジタル放送信号のパケットを記憶手段に格納する格納ステップと、送信手段が、前記第１の転送レートより低い転送レートであって、送信先に応じて予め定められた第２の転送レートで、当該送信先に対して、前記記憶手段から読み出した前記デジタル放送信号の前記パケットを送信する送信ステップと、調整手段が、前記送信ステップが送信する前記デジタル放送信号のパケットとしてヌルパケットを付与し、前記第２の転送レートで転送できるよう調整する調整ステップと、を有することを特徴とする。
【発明の効果】
【００１１】
本発明によれば、後段の転送レートに合わせて、処理に必要なデジタル放送信号のパケットを欠落させることなく受け渡すことができるという効果を奏する。
【図面の簡単な説明】
【００１２】
【図１】図１は、デジタルテレビジョン表示装置の主要な信号処理系を示すブロック図である。
【図２】図２は、第１の実施の形態にかかるデジタルテレビジョン表示装置の、デジタル放送信号のパケットの転送レートを変換するための構成を示したブロック図である。
【図３】図３は、第１の実施の形態にかかる変換器の入力側と出力側との周波数の違いを示した説明図である。
【図４】図４は、第１の実施の形態にかかる変換器が受信するＴＳパケットと、送信するＴＳパケットとを示した説明図である。
【図５】図５は、第１の実施の形態にかかる変換器におけるＴＳパケットの受信から送信までの処理手順を示すフローチャートである。
【図６】図６は、第２の実施の形態にかかるデジタルテレビジョン表示装置の、デジタル放送信号のパケットの転送レートを変換するための構成を示したブロック図である。
【図７】図７は、第２の実施の形態にかかる変換器が受信するＴＳパケットと、送信するＴＳパケットとを示した説明図である。
【発明を実施するための形態】
【００１３】
以下に添付図面を参照して、この発明にかかる転送レート変換装置、デジタル放送受信装置、及び転送レート変換方法の最良な実施の形態を詳細に説明する。
【００１４】
（第１の実施の形態）
デジタルテレビジョン表示装置１００のハードウェア構成について説明する。図１は、デジタルテレビジョン表示装置１００の主要な信号処理系を示すブロック図である。
【００１５】
地上波デジタル放送受信用のアンテナ１０１は、デジタルテレビジョン放送信号を受信し、入力端子１２０を介してパケット出力部１０２に供給する。
【００１６】
パケット出力部１０２は、ＲＦ受信器１０３と、復調器１０４と、を備え、供給されたデジタルテレビジョン放送信号を処理する。
【００１７】
ＲＦ受信器１０３は、制御部１１９からの制御信号により所望のチャネルの放送信号を選局し、この選局された放送信号を復調器１０４に出力する。
【００１８】
復調器１０４は、制御部１１９からの制御信号により、ＲＦ受信器１０３で選局された放送信号を復調し、所望の番組を含んだトランスポートストリーム（ＴＳ）を生成し、変換器１０５に送信する。
【００１９】
変換器１０５は、復調データ処理部１０６の同期する転送レート（周波数）に合わせてＴＳパケットを受信した後、搬送クロックが低い復調データ処理部１０６の転送レート（周波数）に合わせてＴＳパケットを送信する。これにより、変換器１０５において、ＴＳパケットの転送レートの変換が行われる。なお、具体的な変換手法については後述する。
【００２０】
復調データ処理部１０６は、制御部１１９からの制御信号に応じて、入力されたＴＳパケットに対してＴＳ復号処理を行い、所望の番組のデジタルの映像信号及び音声信号をデパケットする。さらに、復調データ処理部１０６は、デパケットされたデジタルの映像信号及び音声信号に対して、選択的に所定のデジタル信号処理（例えば、デコード処理）を施し、グラフィック処理部１１５及び音声処理部１１２に出力する。
【００２１】
制御部１１９には、復調データ処理部１０６により処理された番組を取得するための各種データや電子番組ガイド（ＥＰＧ）情報、番組属性情報（番組ジャンル等）、映像、音声、字幕情報等（サービス情報、ＳＩ(Service  Information)）が入力される。そして、入力された電子番組ガイド（ＥＰＧ）情報、番組属性情報（番組ジャンル等）は、不揮発性メモリ１３３に随時格納、更新される。この不揮発性メモリ１３３に格納された情報は、番組表の表示や、番組の検索などに用いられる。
【００２２】
制御部１１９は、これら入力された情報からＥＰＧ、字幕を表示する場合には、そのための画像生成処理を行い、この生成したＥＰＧ、字幕の画像情報をグラフィック処理部１１５へ出力する。
【００２３】
また、この制御部１１９は、番組録画および番組予約録画を制御する機能を有し、番組予約受付時には、例えば液晶表示パネル１１１に電子番組ガイド（ＥＰＧ）情報を表示し、リモートコントローラ１５０等を介したユーザ入力により予約番組を確定させ、その予約内容を、不揮発性メモリ１３３に設定する。そして、予約設定された時刻に予約番組を録画するようＲＦ受信器１０３、復調器１０４、復調データ処理部１０６、及び記憶装置１１０を制御する。
【００２４】
復調データ処理部１０６は、デジタル信号処理により取得したセクション情報の中から、番組を取得するための各種データや電子番組ガイド（ＥＰＧ）情報、番組属性情報（番組ジャンル等）、字幕情報等（サービス情報、ＳＩやＰＳＩ）を制御部１１９へ出力する。
【００２５】
また、番組録画時には、制御部１１９は、復調データ処理部１０６がそれぞれ供給されたデジタルの映像信号及び音声信号に対して選択的に所定のデジタル信号処理を施した信号を、ビデオデータとして記憶装置（例えば、ＨＤＤ）１１０に記録する。また、復調データ処理部１０６は、録画番組再生時には、制御部１１９を介して記億装置１１０から読み出されたビデオデータをグラフィック処理部１１５及び音声処理部１１２に出力している。
【００２６】
以上の説明では、記憶装置１１０に録画する番組は、復調データ処理部１０６にてＭＰＥＧ等のＡＶデコード処理をした後に、デコード後の映像信号及び音声信号をそのまま、あるいは他の圧縮方法に再圧縮などの所定のデジタル信号処理を施した後に、記憶装置１１０に録画するという方法とした。
【００２７】
グラフィック処理部１１５は、（１）復調データ処理部１０６内のＡＶデコーダ（図示せず）から供給されるデジタルの映像信号と、（２）ＯＳＤ（On  Screen  Display）信号生成部１１６で生成されるＯＳＤ信号と、（３）データ放送による画像データと、（４）制御部１１９により生成されたＥＰＧ、及び字幕信号と、を合成して映像処理部１１７へ出力する機能を有する。
【００２８】
また、グラフィック処理部１１５は、字幕放送による字幕を表示するとき、制御部１１９からの制御による字幕情報に基づき、映像信号上に字幕情報を重畳する処理を行う。
【００２９】
グラフィック処理部１１５から出力されたデジタルの映像信号は、映像処理部１１７に供給される。この映像処理部１１７は、入力されたデジタルの映像信号を、液晶表示パネル１１１で表示可能なアナログ映像信号に変換した後、液晶表示パネル１１１に出力して映像表示させる。また、出力端子１１８を介して外部の表示装置（図示せず）に、当該表示装置で表示可能なフォーマットの映像信号を出力して映像表示させることもできる。
【００３０】
また、上記音声処理部１１２は、入力されたデジタルの音声信号を、スピーカ１１３で再生可能なアナログ音声信号に変換した後、スピーカ１１３に出力して音声を再生させる。また、出力端子１１４を介して外部の音声出力装置（図示せず）に、当該音声出力装置で再生可能なフォーマットの音声信号を出力して音声再生させることもできる。
【００３１】
ここで、このデジタルテレビジョン表示装置１００は、上記した各種の受信動作を含むその全ての動作を制御部１１９によって統括的に制御されている。この制御部１１９は、ＣＰＵ（Central  Processing  Unit）等を内蔵しており、リモートコントローラ１５０等から送出された操作情報を、受光部１０９を介して受信し、その操作内容（例えば、チャネル切換操作など）が反映されるように各部をそれぞれ制御している。
【００３２】
この場合、制御部１１９は、主として、そのＣＰＵが実行する制御プログラムを格納したＲＯＭ（Read  Only  Memory）１３１と、当該ＣＰＵに作業エリアを提供するＲＡＭ（Random  Access  Memory）１３２と、各種の設定情報、制御情報及び番組情報等が格納されるフラッシュメモリなどの不揮発性メモリ１３３とを利用している。
【００３３】
また、上記制御部１１９は、操作部１０８と接続されている。操作部１０８から、デジタルテレビジョン表示装置１００に対する操作を受け付けることができる。
【００３４】
次に、第１の実施の形態にかかるデジタルテレビジョン表示装置１００における、デジタル放送信号のパケットの転送レートを変換するための構成について説明する。図２は、第１の実施の形態にかかるデジタルテレビジョン表示装置１００の、デジタル放送信号のパケットの転送レートを変換するための構成を示したブロック図である。
【００３５】
図２に示すように、デジタルテレビジョン表示装置１００においては、パケット出力部１０２の復調器１０４から出力されたデジタルの放送信号（映像信号および音声信号含む）のパケットの転送レートを、変換器１０５で変換した後、復調データ処理部１０６に出力する構成となっている。
【００３６】
変換器１０５は、受信部２０１と、バッファ２０２と、送信部２０３と、を備えた構成とする。そして、復調データ処理部１０６は、入力処理部２１１と、デコード部２１２とを備えた構成とする。
【００３７】
そして、本実施の形態にかかる変換器１０５は、受信側より送信側の転送レートを低くする変換を行っている。本実施の形態では、転送レートを変更する手段として、周波数の変更を行うこととする。なお、本実施の形態では周波数変換で転送レートを変換しているが、周波数の変換のみに制限するものではなく、例えばバス幅の変更と組み合わせても良い。
【００３８】
図３は、変換器１０５の入力側と出力側との周波数の違いを示した説明図である。図３に示すように、復調器１０４と変換器１０５との間では、搬送クロックが周波数ｋ1で同期して動いている。そして、変換器１０５と復調データ処理部１０６との間では、周波数ｋ2で同期して動いている。そして、当該周波数ｋ1および周波数ｋ2はそれぞれ異なる固定周波数とする。
【００３９】
上述したように、変換器１０５が、復調器１０４と変換器１０５との間の入力側の転送レートより、変換器１０５と復調データ処理部１０６との間の出力側の変換レートを低くしている。つまり、本実施の形態においては、受信部２０１が受信する際に復調器１０４と同期する周波数ｋ1より、送信部２０３が送信する際に復調データ処理部１０６と同期する周波数ｋ2より周波数を低くなるよう設計されている。しかしながら、単に送信側の転送レートを受信側より低くするだけでは、送信側にパケットの転送する際に遅延が生じることになる。次に、遅延が生じさせないよう構成された変換器１０５について説明する。
【００４０】
図２に戻り、変換器１０５の受信部２０１は、ＮＵＬＬ削除部２２１を備え、前段に備えられた復調器１０４により定められる入力側の転送レート（搬送クロックが周波数ｋ1）で、デジタル放送信号のＴＳパケットを受信する。
【００４１】
ところで、パケット出力部１０２では映像信号又は音声信号の状況に拘わらず、搬送クロックに従ってＴＳパケットを送信している。このため、受信部２０１が受信するデジタル放送信号においては、映像信号又は音声信号として利用可能なパケット（以下、有効パケットとする。）のみではなく、映像信号又は映像信号と関係のないデータが詰められたパケット（以下、ＮＵＬＬパケットとする）も含まれている。
【００４２】
ただし、受信するデジタル放送信号では、放送している内容に合わせて、有効パケットとＮＵＬＬパケットの割合は変動するものの、有効パケットが含まれる割合の上限は、予め決まっているものとする。
【００４３】
例えば、受信部２０１は、単位時間あたり、時系列に沿ってＶ、Ｎ、Ｖ、Ｎ、Ｎ、Ｖ、Ｖ、Ｎ、Ｎ、Ｎ（Ｖを有効パケット、ＮをＮＵＬＬパケットとする）というＴＳパケットを受信することが考えられる。また、受信部２０１が有効パケットとＮＵＬＬパケットとを受信する順序は、予め定められているものではない。
【００４４】
なお、本実施の形態では、１０パケット中４パケットが、受信する有効パケットの上限として定められているものとする。つまり、本実施の形態の受信部２０１は、１０個パケットを受信した場合、０〜４個の範囲内で有効パケットを受信する。なお、本実施の形態では、説明を容易にするための例として１０パケット中４個を有効パケットの上限としたが、実際の実施ではこのような割合に制限されるものではない。
【００４５】
ＮＵＬＬ削除部２２１は、受信したデジタル放送信号のＴＳパケットから、ＮＵＬＬパケットを削除する。
【００４６】
バッファ２０２は、ＮＵＬＬ削除部２２１がＮＵＬＬパケットを削除した後のデジタル放送信号のＴＳパケット、換言すれば有効パケットのみを記憶する。
【００４７】
つまり、本実施の形態は、受信したＴＳパケットのうち、実際に必要な情報を運搬しているのは有効パケットのみで、ＮＵＬＬパケットが単なる隙間の詰め物でしかないことに着目し、ＮＵＬＬ削除部２２１でＮＵＬＬパケットを削除することとした。これに合わせて、バッファ２０２は、ある単位時間中で入力される有効パケットのみを取りこぼさずに保持できる記憶容量のみ有することとした。これによりバッファ２０２の記憶容量を削減することができる。
【００４８】
送信部２０３は、ＮＵＬＬ調整部２２２を備え、バッファ２０２からデジタル放送信号のＴＳパケット（有効パケット）を読み出し、復調器１０４との間の入力側転送レートより低い転送レートであって、復調データ処理部１０６により予め定められた出力側転送レートで、復調データ処理部１０６に対して読み出した有効パケットと、ＮＵＬＬ調整部２２２で付与されたＮＵＬＬパケットと、を送信する。
【００４９】
ＮＵＬＬ調整部２２２は、送信部２０３がパケットを送信する際、デジタル放送信号のＴＳパケットとしてＮＵＬＬパケットを付与し、復調データ処理部１０６により予め定められた出力側転送レートで転送できるよう調整する。
【００５０】
つまり、本実施の形態では、変換器１０５と復調データ処理部１０６との間では、復調器１０４から受信するＴＳパケットに含まれる有効パケットのみ転送可能な転送レートを確保できさえすればよい。例えば、上述したように単位時間当たり１０個のＴＳパケットを受信するうち、有効パケットが最大４個含まれる場合、変換器１０５と復調データ処理部１０６との間で単位時間当たりパケットを４個以上送信可能な転送レートを確保できればよい。
【００５１】
そして、送信部２０３が、バッファ２０２に格納されていた有効パケットを後段の復調データ処理部１０６に送信しただけでは、復調データ処理部１０６との間の転送レートで転送可能なデータ量を満たせない場合に、ＮＵＬＬ調整部２２２がデータ量を調整するために、ＮＵＬＬデータを付与する。これにより、受信する有効パケットの数が変化した場合でも、復調データ処理部１０６との間の転送レートに合わせてＮＵＬＬパケットが付与されるため、有効パケットを欠落させることなく、復調データ処理部１０６との間の転送レートを維持することができる。
【００５２】
図４は、変換器１０５が受信するＴＳパケットと、送信するＴＳパケットとを示した説明図である。図４に示す例では、変換器１０５は、ＴＳパケット４０１を受信し、転送レートを変換した後、ＴＳパケット４０２を送信する。
【００５３】
そして、本実施の形態では復調器１０４と変換器１０５との間では、単位時間当たり搬送クロックに合わせて１０個のパケットを受信可能であり、変換器１０５と復調データ処理部１０６との間では、単位時間当たり搬送クロックに合わせて６個のパケットを受信可能とする。
【００５４】
そして、変換器１０５は、単位時間当たり４０１ａ〜４０１ｄの４個の有効パケットを受信している。このため、復調データ処理部１０６は、単位時間当たり６個のパケットを受信可能なので、上述した要件を満たしている。
【００５５】
そして、変換器１０５では、ＮＵＬＬ削除部２２１が受信したＴＳパケット４０１からＮＵＬＬパケットを全て削除した後、有効パケットのみをバッファ２０２に格納している。そして、送信部２０３が、バッファ２０２から読み出した４個の有効パケット４０２ａ〜４０２ｄを送信する。その際、復調データ処理部１０６には単位時間当たり６個のパケットを送信可能なので、ＮＵＬＬ調整部２２２が２個のＮＵＬＬパケット４０３を付加する。これにより単位時間当たり６個のパケットを送信可能にすると共に、有効パケット４個を欠落させることなく送信することを可能としている。
【００５６】
このように、本実施の形態にかかる変換器１０５では、復調データ処理部１０６の転送レート（搬送クロック）に合わせてパケットの転送が可能となる。そして、デジタルテレビジョン表示装置１００が変換器１０５を備えることで、上述した最低限度の転送レートを確保できる復調データ処理部１０６であれば、どのような構成を用いても良いため、設計が容易になる。
【００５７】
図２に戻り、復調データ処理部１０６の入力処理部２１１は、変換器１０５との間で同期する転送レート（固定周波数ｋ2）に合わせて、ＴＳパケットを入力処理する。
【００５８】
デコード部２１２は、入力処理部２１１で入力処理されたＴＳパケットのデコード処理をおこなう。
【００５９】
次に、本実施の形態にかかるデジタルテレビジョン表示装置１００の変換器１０５において、ＴＳパケットの受信から送信までの処理について説明する。図５は、本実施の形態にかかる変換器１０５における上述した処理の手順を示すフローチャートである。
【００６０】
まず、変換器１０５の受信部２０１が、復調器１０４に応じて予め定められた転送レートで、ＴＳパケットを受信する（ステップＳ５０１）。
【００６１】
次に、ＮＵＬＬ削除部２２１が、受信したＴＳパケットからＮＵＬＬパケットを削除する（ステップＳ５０２）。
【００６２】
その後、受信部２０１が、ＮＵＬＬパケットを削除した後の（有効パケットのみの）ＴＳパケットをバッファ２０２に記憶する（ステップＳ５０３）。
【００６３】
そして、送信部２０３が、バッファ２０２に記憶されたＴＳパケット（有効パケット）を読み出す（ステップＳ５０４）。
【００６４】
その後、ＮＵＬＬ調整部２２２が、復調データ処理部１０６との間の転送レートで転送できるよう調整のために、読み出した有効パケットに対して、ＮＵＬＬパケットを付与する（ステップＳ５０５）。
【００６５】
そして、送信部２０３が、有効パケットと付与されたＮＵＬＬパケットとを、復調データ処理部１０６との間の転送レート合わせて送信する（ステップＳ５０６）。
【００６６】
上述した処理手順により、変換器１０５と復調データ処理部１０６との間の転送レートを、復調器１０４と変換器１０５との間の転送レートよりも低くすることが可能となる。
【００６７】
本実施の形態及び以下に示す実施の形態では、パケットを処理する構成としてデジタルテレビジョン表示装置１００の例について説明した。しかしながら、デジタルテレビジョン表示装置に制限するものではなく、動画データを録画するデジタル録画装置など、放送波を受信する装置であればよい。放送波を受信する装置の例としては、携帯電話端末や、ワンセグを受信する様々な端末装置などに適用することもできる。
【００６８】
本実施の形態にかかる変換器１０５では、上述した構成を備えることで、後段に配置される復調データ処理部１０６の転送レート（例えば同期するための固定周波数、換言すれば搬送クロック）を低く抑えることを可能とすると共に、有効パケットを欠落させることなく受け渡すことが可能となる。
【００６９】
換言すると、復調データ処理器１０６の入力処理部２１１が実効的に有効パケットを取りこぼすことない転送レート、上述した例では単位時間当たり４個の有効パケットが受け取れる程度まで落とすことができる。
【００７０】
このように、本実施の形態のデジタルテレビジョン表示装置１００においては、従来と比べて転送レート（同期させるための固定周波数）が低い復調データ処理部１０６の搭載が許容される。これにより復調データ処理部１０６の入力処理部２１１に関する回路コストを削減することができる。
【００７１】
これにより、本実施の形態にかかる変換器１０５が上述した構成を備えることで、搬送クロックが低い復調データ処理部１０６の適用が可能となり、デジタルテレビジョン表示装置１００の生産コストを削減することができる。
【００７２】
（第２の実施の形態）
第１の実施の形態においては、受信するデジタル放送信号のパケットが１チャンネルしかない例について説明した。しかしながら、１チャンネルのデジタル放送信号のパケット受信に制限するものでなく、多チャンネルであっても良い。そこで、第２の実施の形態では、同時に複数チャンネルのデジタル放送信号のパケットを受信する例について説明する。
【００７３】
本実施の形態にかかるデジタルテレビジョン表示装置１００では、複数のチャンネルのデジタル放送信号を受信できるよう、複数のパケット出力部を備えているものとする。そして、これに合わせて変換器と、復調データ処理部との構成も変更される。
【００７４】
そこで、次に、第２の実施の形態にかかるデジタルテレビジョン表示装置１００における、デジタル放送信号のパケットの転送レートを変換するための構成について説明する。図６は、第２の実施の形態にかかるデジタルテレビジョン表示装置１００の、デジタル放送信号のパケットの転送レートを変換するための構成を示したブロック図である。本実施の形態の構成で、第１の実施の形態と共通な構成については同一符号を割り当て、説明を省略する。
【００７５】
図６に示す第２の実施の形態では、変換器６０２のために、４個の第１パケット出力部６０１ａ〜第４パケット出力部６０１ｄまでの４個のパケット出力部から出力されたデジタル放送信号（映像信号および音声信号含む）のパケットの転送レートの合計と比べて、復調データ処理部６０３との間の変換レートが低くなるような構成となっている。
【００７６】
そして、第１パケット出力部６０１ａ〜第４パケット出力部６０１ｄのそれぞれが、それぞれのチャンネルのデジタル放送信号のパケットを、変換器６０２に対して送信している。なお、第１パケット出力部６０１ａ〜第４パケット出力部６０１ｄが送信するデジタル放送信号のチャンネルは、異なるチャンネルでも同一チャンネルでも良い。
【００７７】
また、第１パケット出力部６０１ａ〜第４パケット出力部６０１ｄの各々が有するＲＦ受信器１０３及び復調器１０４は、第１の実施の形態と同様とする。
【００７８】
変換器６０２は、受信部６０４と、第１バッファ６０６ａ〜第４バッファ６０６ｄと、送信部６０５と、を備えた構成とする。そして、復調データ処理部６０３は、入力処理部２１１と、第１デコード部６１１ａ〜第４デコード部６１１ｄと、を備えた構成とする。
【００７９】
そして、本実施の形態にかかる変換器６０２も、第１の実施の形態と同様に、受信側より送信側の転送レートを低くする変換を行っている。本実施の形態では、転送レートを変更するために、バス幅及び周波数を組み合わせて行うこととする。
【００８０】
より詳細な例として、本実施の形態にかかる受信部６０４は、第１パケット出力部６０１ａ〜第４パケット出力部６０１ｄのそれぞれから単位時間当たり同時に、１０個のＴＳパケットを受信している。一方、送信部６０５は、復調データ処理部６０３に対して３個のパケットを同時に送信可能なバス幅で、単位時間当たり６回パケットを送信している。
【００８１】
受信部６０４は、第１ＮＵＬＬ削除部６２１ａ〜第４ＮＵＬＬ削除部６２１ｄを備え、前段に備えられたパケット出力部各々の復調器１０４により定められる入力側の転送レート（なお、搬送クロックは周波数ｋ3とする）で、複数チャンネルのデジタル放送信号のＴＳパケットを受信する。
【００８２】
第１ＮＵＬＬ削除部６２１ａ〜第４ＮＵＬＬ削除部６２１ｄは、受信した複数のチャンネルのデジタル放送信号のＴＳパケットに対して、チャンネル毎にＮＵＬＬパケットを削除する。
【００８３】
送信部６０５は、ＮＵＬＬ調整部６２２を備え、第１バッファ６０６ａ〜第４バッファ６０６ｄのそれぞれからデジタル放送信号のＴＳパケット（有効パケット）を読み出し、入力側の複数チャンネルの転送レートの合計より低い転送レートであって、復調データ処理部１０６により予め定められた出力側の転送レートで、復調データ処理部１０６に対して読み出した有効パケットと、ＮＵＬＬ調整部６２２で付与されたＮＵＬＬパケット、をまとめて送信する。
【００８４】
ＮＵＬＬ調整部６２２は、送信する複数のチャンネル分のデジタル放送信号のパケットをまとめて、復調データ処理部６０３により予め定められた転送レートで転送できるように、ＮＵＬＬパケットを付与して調整する。なお、本実施の形態では、送信部６０５が複数チャンネル（チューナ）のＴＳパケットをまとめて送信するため、ＮＵＬＬパケットを付与する構成であるＮＵＬＬ調整部６２２は１つあればよい。
【００８５】
本実施の形態にかかる変換器６０２では、第１パケット出力部６０１ａ〜第４パケット出力部６０１ｄの複数個のパケット出力部から送信されたＴＳパケットを一旦とりまとめて、不要なＮＵＬＬパケットを抜いた上で、後段の復調データ処理部６０３に受け渡すことで、受け渡すＴＳパケットに含まれている有効パケットの密度を高くすることができる。
【００８６】
そして、本実施の形態にかかる復調データ処理部６０３は、複数のパケット出力部から単位時間当たりに出力される有効パケットのみ送信可能な転送レートを下限として、変換器６０２との間で転送できればよい。
【００８７】
復調データ処理部６０３の第１デコード部６１１ａ〜第４デコード部６１１ｄは、入力処理部２１１が受信したＴＳパケットのうち、それぞれチャンネル毎に、入力処理部２１１で入力処理されたＴＳパケットのデコード処理を行う。
【００８８】
図７は、変換器６０２が受信するＴＳパケットと、送信するＴＳパケットとを示した説明図である。図７に示す例では、変換器６０２は、第１パケット出力部６０１ａからのＴＳパケットである第１出力パケット７０１と、第２パケット出力部６０１ｂからのＴＳパケットである第２出力パケット７０２と、第３パケット出力部６０１ｃからのＴＳパケットである第３出力パケット７０３と、第４パケット出力部６０１ｄからのＴＳパケットである第４出力パケット７０１と、を受信する。そして、変換器６０２は、転送レートを変換した後、復調データ処理部６０３に対して、ＴＳパケット７１１を送信する。
【００８９】
そして、本実施の形態では、各パケット出力部と変換器６０２との間では、単位時間当たり搬送クロック（固定周波数ｋ3）に合わせて１０回のパケットを受信可能であり、変換器６０２と復調データ処理部６０３との間では、単位時間当たり搬送クロック（固定周波数ｋ4）に合わせて６回のパケットを受信可能とする。このように、本実施の形態においても、固定周波数ｋ3＜ｋ4となる。
【００９０】
そして、変換器６０２は、入力側において、４個のパケット出力部から、単位時間当たりに１０回のパケットを受信するため、単位時間当たり４０個のパケットを受信している。
【００９１】
しかしながら、ＴＳパケット全てが有効パケットではない。本実施の形態では、チャンネル（パケット出力部、換言すればチューナ）１つに対し単位時間あたり１０個のＴＳパケットが受け渡されるレートを例示しているが、当該１０個のうち有効パケットは４個以下という一定の構成比率とする。そして、他の６個以上はＮＵＬＬパケットのため、受信したＴＳパケット全てを復調データ処理部６０３に転送する必要は無い。
【００９２】
例えば、第１出力パケット７０１のうち、単位時間当たりに有効パケットは、パケット７０１ａ〜７０１ｄの４個である。さらに、第２出力パケット７０２においても、パケット７０２ａ〜７０２ｄの４個であり、第３出力パケット７０３においても、パケット７０３ａ〜７０３ｄの４個であり、第４出力パケット７０４においても、パケット７０４ａ〜７０４ｄの４個である。つまり、受信した４０個のＴＳパケット中有効パケット１６個を欠落させることなく、後段の復調データ処理部６０３に受け渡せればよい。
【００９３】
これに対し、復調データ処理部６０３は、同時に３パケット送信可能なバス幅で変換器６０２との間を接続されており、単位時間当たり６回のパケットの転送が可能なため、単位時間当たり合計１８パケットを受け取ることができる。このため、復調データ処理部６０３は、有効パケットのみの転送であれば充分な速度の転送レートを備えていることになる。
【００９４】
そこで、変換器６０２では、第１出力パケット７０１〜第４出力パケット７０４を受信した後、第１ＮＵＬＬ削除部６２１ａ〜第４ＮＵＬＬ削除部６２１ｄが受信したチャンネル毎のＴＳパケットからＮＵＬＬパケットを削除する。その後、受信部６０４が、第１バッファ６０６ａ〜第４バッファ６０６ｄに、ＮＵＬＬパケットが削除された後の各チャンネルのＴＳパケット（有効パケット）を記憶させる。
【００９５】
そして、送信部６０５が、第１バッファ６０６ａから読み出した第１チャンネルの有効パケット７１１ａと、第２バッファ６０６ｂから読み出した第２チャンネルの有効パケット７１１ｂと、第３バッファ６０６ｃから読み出した第３チャンネルの有効パケット７１１ｃと、第４バッファ６０６ｄから読み出した第４チャンネルの有効パケット７１１ｄと、をまとめて単位時間内に送信する。その際、復調データ処理部６０３には単位時間当たり１８個のパケットの送信が可能なので、ＮＵＬＬ調整部６２２が２個のＮＵＬＬパケット７１１ｅを付加する。これにより転送レートに合わせて単位時間当たり１８個の有効パケットを送信可能にすると共に、有効パケット１６個を欠落させることなく送信することを可能としている。このように、本実施の形態にかかる変換器６０２では、有効パケットのみを複数チャンネル分全てまとめて後段の復調データ処理部６０３に受け渡すことで、第１の実施の形態の時よりもさらなる高効率で（例えば、１８個中１６個以下）受け渡しを可能としている。
【００９６】
つまり、従来技術では、複数チューナから受信したＴＳパケット(有効パケット及びＮＵＬＬパケットの両方を含む)を処理させるため、従来の復調データ処理部は、少なくとも当該受信時のデータレートと同じか上回る転送レートで処理可能である必要があった。
【００９７】
しかしながら、複数チャンネルのデジタル放送信号のＴＳパケットを転送可能とするために、復調データ処理部にかなりの処理速度が要求され、デジタルテレビジョン表示装置１００の高価格化の要因となっていた。
【００９８】
そこで、本実施の形態では、有効パケットのみ転送すればよいことに着目した上で、変換器６０２が上述した構成を備えることで、復調データ処理部６０３の転送レートを従来のものより低くすることが可能となるとともに、転送レート低くとも有効パケット、換言すれば再生処理に必要なパケットを欠落させること無く受け渡すことが可能となる。
【００９９】
このように、本実施の形態にかかるデジタルテレビジョン表示装置１００では、変換器６０２と復調データ処理部６０３との間で、単位時間当たり全ての有効パケットを転送できるだけの転送レートを確保できるだけで、必要なパケットを欠落させることなく受け渡すことができる。
【０１００】
換言すれば、変換器６０２が上述した処理をおこなうことで、復調データ処理部６０３が、実効的に有効パケットを取りこぼすことのない転送レート(上述した実施の形態の例では、単位時間当たり１６個のパケットを受領できるだけの転送レート)にまで、受領能力を落として良いことを意味する。これにより、復調データ処理部６０３の回路コストを低減できる。
【０１０１】
なお、本実施の形態では、上述したように、変換器６０２の入力側の転送レートが遅く、出力側の転送レートが早いときであっても、矛盾無く機能するのは自明である。すなわち、ＮＵＬＬ調整部６２２がパケットを送信する際に、付与するＮＵＬＬパケットがおおくなるだけである。これにより、後段に配置可能な復調データ処理部６０３の選択肢が増加するため、回路設計が容易になる。
【０１０２】
また、上述した各実施の形態に限定されるものではなく、以下に例示するような種々の変形が可能である。
【０１０３】
（第２の実施の形態の変形例）
上述した第２の実施の形態において、変換器６０２が、４個の出力パケットから各チャンネルの地上波デジタル放送信号を受信する例について説明した。この第２の実施の形態では、変換器６０２には４系統分のパケット受け取り能力があり、１系統毎に１チャンネルのデジタル放送信号を受け取っていた。しかしながら、ＢＳ、ＣＳのデジタル放送波のビットレートは、地上波デジタル放送のビットレートは異なる。
【０１０４】
そこで、変形例として、ＢＳ／ＣＳデジタル放送用出力パケット部１つに対して、変換器６０２が有する４系統のうち２系統を割り当ててもよい。そして、余った２系統については、さらに、ＢＳ／ＣＳデジタル放送用出力パケット部１つを割り当てても良いし、地上波デジタル放送の出力パケット部２つを割り当てても良い。
【０１０５】
これにより、変換器６０２をさまざまな放送波の受信に適用することができる。つまり、様々な受信波の処理をおこなうために、デジタルテレビジョン表示装置１００に複数の変換器６０２を搭載しても良いし、様々な種類のデジタル放送信号受信装置に、同一の変換器６０２に搭載することができる。これにより、変換器６０２の生産コストを削減することができる。
【０１０６】
上述した実施の形態及び変形例では、変換器の例として、１入力１出力および、多入力１出力の例について説明した。しかしながら、このような形態に制限するものではなく、入力された有効パケットを取りこぼすことなく出力できるよう出力側の転送レートが確保できるよう調整できればよく、例えば、１入力多出力および多入力多出力についても柔軟に拡張できる。
【０１０７】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１０８】
１００  デジタルテレビジョン表示装置
１０２  パケット出力部
１０３  ＲＦ受信器
１０４  復調器
１０５、６０２  変換器
１０６、６０３  復調データ処理部
２０１、６０４  受信部
２０２  バッファ
２０３、６０５  送信部
２１１  入力処理部
２１２  デコード部
２２１  ＮＵＬＬ削除部
２２２、６２２  ＮＵＬＬ調整部
６０１ａ〜６０１ｄ  第１パケット出力部〜第４パケット出力部
６０６ａ〜６０６ｄ  第１バッファ〜第４バッファ
６１１ａ〜６１１ｄ  第１デコード部〜第４デコード部
６２１ａ〜６２１ｄ  第１ＮＵＬＬ削除部〜第４ＮＵＬＬ削除部
【図１】
2011055159.tif 000003
【図２】
2011055159.tif 000004
【図３】
2011055159.tif 000005
【図４】
2011055159.tif 000006
【図５】
2011055159.tif 000007
【図６】
2011055159.tif 000008
【図７】
2011055159.tif 000009
【手続補正書】
【提出日】平成22年8月26日(2010.8.26)
【手続補正１】
【補正対象書類名】明細書
【補正対象項目名】０００８
【補正方法】変更
【補正の内容】
【０００８】
上述した課題を解決し、目的を達成するために、本発明にかかる転送レート変換装置は、第１の転送レートでデジタル放送信号のパケットを受信する受信手段と、前記デジタル放送信号のパケットから、ヌルパケットを削除する削除手段と、前記ヌルパケットが削除された前記デジタル放送信号のパケットを記憶する記憶手段と、前記第１の転送レートより低い転送レートであって、送信先に準じた第２の転送レートで、当該送信先に対して、前記記憶手段から読み出した前記デジタル放送信号の前記パケットを転送する転送手段と、前記転送手段により前記第２の転送レートで転送できるよう、前記デジタル放送信号のパケットに対してヌルパケットを付与する調整手段と、を備えることを特徴とする。
【手続補正２】
【補正対象書類名】明細書
【補正対象項目名】０００９
【補正方法】変更
【補正の内容】
【０００９】
また、本発明にかかるデジタル放送受信装置は、放送信号を、デジタル放送信号のパケットに復調し、当該デジタル放送信号を第１の転送レートで転送する復調手段と、前記第１の転送レートでデジタル放送信号のパケットを受信する受信手段と、前記デジタル放送信号のパケットから、ヌルパケットを削除する削除手段と、前記ヌルパケットが削除された前記デジタル放送信号のパケットを記憶する記憶手段と、前記第１の転送レートより低い転送レートであって、送信先に準じた第２の転送レートで、当該送信先に対して、前記記憶手段から読み出した前記デジタル放送信号の前記パケットを転送する転送手段と、前記転送手段により前記第２の転送レートで転送できるよう、前記デジタル放送信号のパケットに対してヌルパケットを付与する調整手段と、前記転送手段により転送されてきた前記デジタル放送信号のパケットに対してデコード処理を行うデコード処理手段と、を備えることを特徴とする。
【手続補正３】
【補正対象書類名】明細書
【補正対象項目名】００１０
【補正方法】変更
【補正の内容】
【００１０】
放送信号の転送レート変換方法は、受信手段が、第１の転送レートでデジタル放送信号のパケットを受信する受信ステップと、削除手段が、前記デジタル放送信号のパケットから、ヌルパケットを削除する削除ステップと、格納手段が、前記ヌルパケットが削除された前記デジタル放送信号のパケットを記憶手段に格納する格納ステップと、転送手段が、前記第１の転送レートより低い転送レートであって、送信先に準じた第２の転送レートで、当該送信先に対して、前記記憶手段から読み出した前記デジタル放送信号の前記パケットを転送する転送ステップと、調整手段が、前記転送ステップで前記第２の転送レートで転送できるよう、前記デジタル放送信号のパケットに対してヌルパケットを付与する調整ステップと、を有することを特徴とする。
【手続補正４】
【補正対象書類名】特許請求の範囲
【補正対象項目名】全文
【補正方法】変更
【補正の内容】
【特許請求の範囲】
【請求項１】
第１の転送レートでデジタル放送信号のパケットを受信する受信手段と、
前記デジタル放送信号のパケットから、ヌルパケットを削除する削除手段と、
前記ヌルパケットが削除された前記デジタル放送信号のパケットを記憶する記憶手段と、
前記第１の転送レートより低い転送レートであって、送信先に準じた第２の転送レートで、当該送信先に対して、前記記憶手段から読み出した前記デジタル放送信号の前記パケットを転送する転送手段と、
前記転送手段により前記第２の転送レートで転送できるよう、前記デジタル放送信号のパケットに対してヌルパケットを付与する調整手段と、
を備えることを特徴とする放送信号の転送レート変換装置。
【請求項２】
前記受信手段は、複数のチャンネルの前記デジタル放送信号のパケットを受信し、
前記転送手段は、それぞれのチャネルが前記第１の転送レートとなる、前記複数のチャンネルの合計より低い転送レートである前記第２の転送レートで、前記記憶手段から読み出された、前記複数のチャンネルの前記デジタル放送信号のパケットをまとめて転送し、
前記調整手段は、前記第２の転送レートでまとめて転送できるよう、前記複数のチャンネルの前記デジタル放送信号のパケットに対して、ヌルパケットを付与すること、
を特徴とする請求項１に記載の転送レート変換装置。
【請求項３】
前記第１の転送レートを示す周波数より、前記第２の転送レートを示す周波数が低いこと、を特徴とする請求項１又は２に記載の転送レート変換装置。
【請求項４】
前記受信手段は、ビットレートが異なるデジタル放送信号がそれぞれ割り当てられている複数の系統に対応すると共に、複数のビットレートのデジタル放送信号を受信すること、
を特徴とする請求項１乃至３のいずれか一つに記載の転送レート変換装置。
【請求項５】
放送信号を、デジタル放送信号のパケットに復調し、当該デジタル放送信号を第１の転送レートで転送する復調手段と、
前記第１の転送レートでデジタル放送信号のパケットを受信する受信手段と、
前記デジタル放送信号のパケットから、ヌルパケットを削除する削除手段と、
前記ヌルパケットが削除された前記デジタル放送信号のパケットを記憶する記憶手段と、
前記第１の転送レートより低い転送レートであって、送信先に準じた第２の転送レートで、当該送信先に対して、前記記憶手段から読み出した前記デジタル放送信号の前記パケットを転送する転送手段と、
前記転送手段により前記第２の転送レートで転送できるよう、前記デジタル放送信号のパケットに対してヌルパケットを付与する調整手段と、
前記転送手段により転送されてきた前記デジタル放送信号のパケットに対してデコード処理を行うデコード処理手段と、
を備えることを特徴とするデジタル放送受信装置。
【請求項６】
受信手段が、第１の転送レートでデジタル放送信号のパケットを受信する受信ステップと、
削除手段が、前記デジタル放送信号のパケットから、ヌルパケットを削除する削除ステップと、
格納手段が、前記ヌルパケットが削除された前記デジタル放送信号のパケットを記憶手段に格納する格納ステップと、
転送手段が、前記第１の転送レートより低い転送レートであって、送信先に準じた第２の転送レートで、当該送信先に対して、前記記憶手段から読み出した前記デジタル放送信号の前記パケットを転送する転送ステップと、
調整手段が、前記転送ステップで前記第２の転送レートで転送できるよう、前記デジタル放送信号のパケットに対してヌルパケットを付与する調整ステップと、
を有することを特徴とする放送信号の転送レート変換方法。